(57)【特許請求の範囲】
【請求項１】
自機の識別データを記憶している一又は複数の外部装置からのデータの処理に係る指示により、データの処理を行う情報処理装置において、
前記外部装置とその表示面が接触する表示部と、
前記外部装置との接触に基づき、第１指示及び第２指示を受け付ける指示受付手段と、
前記第１指示に係る外部装置が記憶する第１識別データ、及び前記第２指示に係る外部装置が記憶する第２識別データを取得する取得手段と、
該取得手段が取得した第１識別データを用いて、記憶部の記憶内容に基づき、認証を行なう認証手段と、
認証済みの第１識別データと前記第２識別データとが不一致である場合、前記指示受付手段が受け付けた第２指示及び該第２識別データを無効にする無効化手段と
を備えることを特徴とする情報処理装置。
【請求項２】
前記外部装置が所定範囲内にあるか否かを判定する有無判定手段を備え、
前記外部装置が所定範囲内にあると判定された場合、前記表示部は前記第１指示及び第２指示の夫々を表す画像を表示し、
前記指示受付手段は前記外部装置との接触に基づき、前記第１指示又は第２指示を受け付けるように構成されていることを特徴とする請求項１に記載の情報処理装置。
【請求項３】
自機の識別データを記憶している一又は複数の外部装置とその表示面が接触する表示部を備え、該外部装置からのデータの処理に係る指示により、データの処理を行う情報処理装置にて、指示を実行する指示実行方法において、
前記外部装置との接触に基づき、第１指示及び第２指示を受け付ける指示受付ステップと、
前記第１指示に係る外部装置が記憶する第１識別データ、及び前記第２指示に係る外部装置が記憶する第２識別データを取得する取得ステップと、
該取得ステップで取得した第１識別データを用いて、記憶部の記憶内容に基づき、認証を行なう認証ステップと、
認証済みの第１識別データと前記第２識別データとが不一致である場合、前記指示受付ステップで受け付けた第２指示及び該第２識別データを無効にするステップと
を含むことを特徴とする指示実行方法。
【請求項４】
自機の識別データを記憶している一又は複数の外部装置とその表示面が接触する表示部を備え、該外部装置による指示を実行する情報処理装置を構成するコンピュータに、該外部装置からのデータの処理に係る指示を受付させるコンピュータプログラムにおいて、
コンピュータに、前記外部装置との接触に基づき、第１指示及び第２指示を受付させる指示受付ステップと、
コンピュータに、前記第１指示に係る外部装置が記憶する第１識別データ、及び前記第２指示に係る外部装置が記憶する第２識別データを取得させる取得ステップと、
コンピュータに、該取得ステップで取得した第１識別データを用いて、記憶部の記憶内容に基づき、認証を行なわせる認証ステップと、
コンピュータに、認証済みの第１識別データと前記第２識別データとが不一致である場合、前記指示受付ステップで受け付けた第２指示及び該第２識別データを無効にさせるステップと
を実行させることを特徴とするコンピュータプログラム。
【請求項５】
請求項４に記載のコンピュータプログラムを記録してあることを特徴とするコンピュータでの読み取りが可能な記録媒体。
【発明の詳細な説明】
【技術分野】
【０００１】
本発明は、情報処理装置と、該情報処理装置にデータの処理に係る指示を行う一又は複数の外部装置との間の指示受付に係る、情報処理装置、指示実行方法、コンピュータプログラム、及び該コンピュータプログラムが記録された記録媒体に関する。
【背景技術】
【０００２】
従来、ＵＳＢメモリ等のメモリデバイスが接続可能な複合機においては、スキャナにより画像を読み取って画像データを生成し、生成された画像データをメモリデバイスに記憶させる、いわゆる「スキャンｔｏメモリ」機能が搭載されている（例えば、特許文献１参照）。
【０００３】
前記スキャンｔｏメモリ機能を実行させる場合は、使用者が、例えば、タッチパネルからなる操作パネルを操作し、原稿の画像を読み取って画像データを生成するように指示し、生成された画像データを接続中のメモリデバイスに送るように指示する必要がある。
【先行技術文献】
【特許文献】
【０００４】
【特許文献１】特開２００８−１８７４９５号公報
【発明の概要】
【発明が解決しようとする課題】
【０００５】
しかしながら、上述したような従来の複合機の機能においては、斯かる操作の途中に、使用者が当該複合機から離れた場合、ログオフを忘れた場合等は、該処理に係るデータを他人が無断で取得して悪用する虞がある。また、特許文献１に係る発明では、このような問題を解決することができない。
【０００６】
本発明は、斯かる事情に鑑みてなされたものであり、その目的とするところは、データの処理を行う情報処理装置と、該情報処理装置にデータの処理に係る指示を行う一又は複数の外部装置との間において、前記情報処理装置は、その表示部の表示面と前記外部装置との接触がある場合、該接触に基づき、第１指示及び第２指示を受け付け、この際、前記第１指示に係る指示装置が記憶する第１識別データ、及び前記第２指示に係る指示装置が記憶する第２識別データを取得し、記憶部の記憶内容に基づいて前記第１識別データを用いた認証が行なわれ、認証された第１識別データ及び第２識別データが不一致である場合、受け付けた第２指示及び該第２識別データを無効にすることにより、上述したように、斯かる操作の途中に、使用者が当該装置から離れた場合、ログオフを忘れた場合等に生じ得る他人によるデータの無断取得を未然に防止できる情報処理装置、指示実行方法、コンピュータプログラム、及び該コンピュータプログラムが記録された記録媒体を提供することにある。
【課題を解決するための手段】
【０００７】
本発明に係る情報処理装置は、自機の識別データを記憶している一又は複数の外部装置からのデータの処理に係る指示により、データの処理を行う情報処理装置において、前記外部装置とその表示面が接触する表示部と、前記外部装置との接触に基づき、第１指示及び第２指示を受け付ける指示受付手段と、前記第１指示に係る外部装置が記憶する第１識別データ、及び前記第２指示に係る外部装置が記憶する第２識別データを取得する取得手段と、該取得手段が取得した第１識別データを用いて、記憶部の記憶内容に基づき、認証を行なう認証手段と、認証済みの第１識別データと前記第２識別データとが不一致である場合、前記指示受付手段が受け付けた第２指示及び該第２識別データを無効にする無効化手段とを備えることを特徴とする。
【０００８】
本発明に係る情報処理装置は、前記外部装置が所定範囲内にあるか否かを判定する有無判定手段を備え、前記外部装置が所定範囲内にあると判定された場合、前記表示部は前記第１指示及び第２指示の夫々を表す画像を表示し、前記指示受付手段は前記外部装置との接触に基づき、前記第１指示又は第２指示を受け付けるように構成されていることを特徴とする。
【０００９】
本発明にあっては、前記指示受付手段が前記外部装置と前記表示部の表示面との接触に基づき、第１指示及び第２指示を受け付け、この際、前記取得手段は、前記第１指示に係る外部装置が記憶する第１識別データ、及び前記第２指示に係る外部装置が記憶する第２識別データを取得し、前記認証手段が当該第１識別データを用いて認証を行なう。認証された第１識別データ及び第２識別データが不一致である場合、無効化手段は、前記指示受付手段が受け付けた第２指示及び該第２識別データを無効にする。
【００１０】
本発明にあっては、前記外部装置が所定範囲内にあると前記有無判定手段によって判定された場合、前記表示部は前記第１指示及び第２指示の夫々を表す画像を表示し、前記指示受付手段は前記外部装置との接触に基づき、前記第１指示又は第２指示を受け付ける。
【００１１】
本発明に係る指示実行方法は、自機の識別データを記憶している一又は複数の外部装置とその表示面が接触する表示部を備え、該外部装置からのデータの処理に係る指示により、データの処理を行う情報処理装置にて、指示を実行する指示実行方法において、前記外部装置との接触に基づき、第１指示及び第２指示を受け付ける指示受付ステップと、前記第１指示に係る外部装置が記憶する第１識別データ、及び前記第２指示に係る外部装置が記憶する第２識別データを取得する取得ステップと、該取得ステップで取得した第１識別データを用いて、記憶部の記憶内容に基づき、認証を行なう認証ステップと、認証済みの第１識別データと前記第２識別データとが不一致である場合、前記指示受付ステップで受け付けた第２指示及び該第２識別データを無効にするステップとを含むことを特徴とする。
【００１２】
本発明に係るコンピュータプログラムは、自機の識別データを記憶している一又は複数の外部装置とその表示面が接触する表示部を備え、該外部装置による指示を実行する情報処理装置を構成するコンピュータに、該外部装置からのデータの処理に係る指示を受付させるコンピュータプログラムにおいて、コンピュータに、前記外部装置との接触に基づき、第１指示及び第２指示を受付させる指示受付ステップと、コンピュータに、前記第１指示に係る外部装置が記憶する第１識別データ、及び前記第２指示に係る外部装置が記憶する第２識別データを取得させる取得ステップと、コンピュータに、該取得ステップで取得した第１識別データを用いて、記憶部の記憶内容に基づき、認証を行なわせる認証ステップと、コンピュータに、認証済みの第１識別データと前記第２識別データとが不一致である場合、前記指示受付ステップで受け付けた第２指示及び該第２識別データを無効にさせるステップとを実行させることを特徴とする。
【００１３】
本発明にあっては、前記外部装置と前記表示部の表示面との接触に基づき、第１指示及び第２指示が受け付けられ、この際、前記第１指示に係る外部装置が記憶する第１識別データ、及び前記第２指示に係る外部装置が記憶する第２識別データを取得され、当該第１識別データを用いた認証が行なわれ、認証された第１識別データ及び第２識別データが不一致である場合、受け付けた第２指示及び該第２識別データが無効になる。
【００１４】
本発明に係る記録媒体は、前述の発明のコンピュータプログラムを記録してあることを特徴とする。
【００１５】
本発明にあっては、前記記録媒体に前述のコンピュータプログラムを記録する。コンピュータが前記記録媒体からコンピュータプログラムを読み出して、前述の情報処理装置、指示実行方法、コンピュータプログラム及び記録媒体により実現される。
【発明の効果】
【００１６】
本発明によれば、例えば、斯かる操作の途中に使用者が当該装置から離れた状態、ログオフが完了されていない状態等にて他人による不正操作が行われた場合に生じ得る、前記第１指示に係る外部装置の第１識別データ、前記第２指示に係る外部装置の第２識別データが不一致である場合、受け付けた第２指示及び該第２識別データを無効にすることにより、他人によるデータの無断取得及び悪用を未然に防止できる。
【図面の簡単な説明】
【００１７】
【図１】本発明の実施の形態１に係る指示受付システムの概念図である。
【図２】本発明の実施の形態１に係る指示受付システムの要部構成を示す機能ブロック図である。
【図３】本発明の実施の形態１の実施例１における、デジタル複合機及びメモリデバイスの間での指示の受付を説明するフローチャートである。
【図４】本発明の実施の形態１の実施例１における、ファイルのアイコン及び認証アイコンの表示、並びにアイコン接触操作の一例を示す例示図である。
【図５】本発明の実施の形態１の実施例２における、デジタル複合機及びメモリデバイスの間での指示の受付を説明するフローチャートである。
【図６】本発明の実施の形態２に係る指示受付システムの要部構成を示す機能ブロック図である。
【図７】本発明の実施の形態２の実施例１における、デジタル複合機及びメモリデバイスの間での指示の受付を説明するフローチャートである。
【図８】本発明の実施の形態２の実施例１における、アイコン及び認証アイコンの表示、並びにその操作の一例を示す例示図である。
【図９】本発明の実施の形態２の実施例２における、デジタル複合機及びメモリデバイスの間での指示の受付を説明するフローチャートである。
【図１０】本発明の実施の形態３に係るデジタル複合機の要部構成を示す機能ブロック図である。
【発明を実施するための形態】
【００１８】
以下に、本発明の実施の形態に係る情報処理装置及び外部装置を、デジタル複合機及びメモリデバイスに夫々適用した指示受付システムについて、図面に基づき詳しく説明する。
【００１９】
（実施の形態１）
図１は本発明の実施の形態１に係る指示受付システムの概念図であり、図２は本発明の実施の形態１に係る指示受付システムの要部構成を示す機能ブロック図である。実施の形態１に係る指示受付システムはデジタル複合機１００（情報処理装置）と、メモリデバイス２００（指示装置）を含む一又は複数のメモリデバイスとを有する。
【００２０】
デジタル複合機１００は、制御部２０、ＣＰＵ１、ＲＯＭ２、ＲＡＭ３、画像入力部４、画像出力部５、タッチパネル６、画像処理部７、操作パネル８、表示部９、表示制御部１０、記憶部１１及び近距離通信部１２（送信手段）等のハードウェアを備え、全体としてデジタル複合機１００を構成している。
【００２１】
ＲＯＭ２には各種の制御プログラム、演算用のパラメータのうちの基本的に固定のデータ等が予め格納されており、ＲＡＭ３はデータを一時的に記憶し、記憶順、記憶位置等に関係なく読み出すことが可能である。また、ＲＡＭ３は、例えば、ＲＯＭ２から読み出されたプログラム、該プログラムを実行することにより発生する各種データ、該実行の際適宜変化するパラメータ等を記憶する。
【００２２】
ＣＰＵ１は、ＲＯＭ２に予め格納されている制御プログラムをＲＡＭ３上にロードして実行することによって、バス（図示せず）を介して上記の各種ハードウェアの制御を行い、装置全体を本発明のデジタル複合機１００として動作させる。
【００２３】
画像入力部４は、原稿の画像を光学的に読み取る読取手段であり、読取用の原稿に光を照射する光源、例えばＣＣＤ（Charge Coupled Device）のようなイメージセンサ等を備えている。画像入力部４では、所定の読み取り位置にセットされた原稿からの反射光像を当該イメージセンサに結像させ、ＲＧＢ（R : Red, G : Green, B : Blue）のアナログ電気信号を出力する。画像入力部４が出力したアナログ電気信号は画像処理部７に入力される。
【００２４】
画像出力部５は、画像処理部７から出力される画像データに基づいて用紙、ＯＨＰフィルム等のシート上に画像形成を行う。そのため、画像出力部５は、感光体ドラム、該感光体ドラムを所定の電位に帯電させる帯電器、外部から受付けた画像データに応じてレーザ光を発して感光体ドラム上に静電潜像を生成させるレーザ書込装置、感光体ドラム表面に形成された静電潜像にトナーを供給して顕像化する現像器、感光体ドラム表面に形成されたトナー像を用紙上に転写する転写器等（図示せず）を備えており、電子写真方式にて使用者が所望する画像をシート上に形成する。なお、レーザ書込装置を用いた電子写真方式により画像形成を行う他、インクジェット方式、熱転写方式、昇華方式等により画像形成を行う構成であってもよい。
【００２５】
タッチパネル６は、表示部９の表示面を覆うように設けられている。タッチパネル６は表示部９の表示面への接触を検出し、該接触の位置を特定するので、使用者から所定の指示を受け付けることができる。
【００２６】
詳しくは、使用者の指先等のタッチ操作、又はメモリデバイス２００との接触による圧力の変化を検知し、又は静電気による電気信号を検知して、使用者の指先又はメモリデバイス２００との接触点の表示部９の表示面上の座標を検出し、該座標を特定する信号を発生する。タッチパネル６が検出した接触に係る位置（座標）を特定する信号はＣＰＵ１及び制御部２０に送出される。
【００２７】
例えば、制御部２０は、タッチパネル６から前記信号（座標）を取得して、表示部９に表示されている後述する、認証アイコン又はファイルのアイコンの内、該座標に対応する位置のアイコンが操作されたものと認識できる。
【００２８】
すなわち、認証アイコンが接触操作されたと認識された場合、制御部２０は認証を開始する旨の指示（第１指示）を受け付け、ファイルのアイコンが接触操作されたと認識された場合、制御部２０は該接触に係るファイルのアイコンに対応するデータ（以下、対応データと言う。）を所定のメモリデバイス（例えば、メモリデバイス２００）に送信又は複写する旨の指示（第２指示）を受け付ける。
【００２９】
例えば、ＣＰＵ１は、タッチパネル６からの信号に基づき、該接触がタッチであるか、フリックであるか、ドラッグであるか判定し、ＣＰＵ１の判定の結果に基づき、前記対応データがメモリデバイス２００に送信され、又は複写される。例えば、ＣＰＵ１が斯かる接触をタッチであると判定した場合、後述する制御部２０の指示受付部２１は当該接触に係る対応データをメモリデバイス２００に送信する旨の指示として受け付ける。一方、斯かる接触がフリック又はドラッグである場合、すなわち、ＣＰＵ１が斯かる接触をタッチでないと判定した場合、指示受付部２１は当該接触に係る対応データをメモリデバイス２００に複写する旨の指示として受け付ける。
【００３０】
画像処理部７は、例えば、画像入力部４を通じて入力されるアナログ電気信号を基にデジタル形式の画像データを生成し、画像の種類に応じた処理を施した後、出力用の画像データを生成する。生成した画像データは画像出力部５又は近距離通信部１２に出力される。
【００３１】
操作パネル８は、ユーザの指示を受け付けるための各種ボタン、指示の確定を受け付けるエンターキー、テンキー等を備えている。
【００３２】
表示部９は、例えば、ＬＣＤ又はＥＬ（Electroluminescence）パネル等からなり、前記ファイルのアイコン、認証アイコン等、使用者に対して報知すべき情報が表示される。また、表示部９の表示面を覆うようにタッチパネル６が設けられている。
【００３３】
表示制御部１０は、ＤＳＰ（Digital Signal Processor）のようなプロセッサにより構成され、表示部９への画像表示を制御する。また、表示制御部１０は、画像入力部４によって読み取られた画像データのファイル、又は記憶部１１に記憶されているデータのファイルを表すアイコン（画像）、又は認証の指示を受け付ける認証アイコン（画像）を表示部９に表示する。
【００３４】
記憶部１１は、例えば、フラッシュメモリ、ＥＥＰＲＯＭ、ＨＤＤ、ＭＲＡＭ（磁気抵抗メモリ）、ＦｅＲＡＭ（強誘電体メモリ）、又は、ＯＵＭ等の不揮発性の記憶媒体により構成されている。また、記憶部１１には、例えば、画像入力部４を介して入力（読取）された画像データが所定のファイル名毎に記憶される。また、記憶部１１には、自機の使用が許可された使用者のＩＤ（識別データ）及び／又は該使用者が所持するメモリデバイスのＭＡＣアドレス（識別データ）が記憶されている。
【００３５】
近距離通信部１２は、数ｃｍから数ｍまでのデータの送受信が可能な通信手段である。近距離通信部１２は、例えば、ブルートゥース（登録商標）対応デバイス、ＩＥＥＥ８０２．１１対応デバイス、非接触方式の通信方式（ＲＦＩＤ（Radio Frequency Identification)システム）対応デバイス又はトランスファージェット（登録商標）対応デバイスである。以下の説明においては、近距離通信部１２が非接触方式の通信方式に対応するものである場合を例として説明する。
【００３６】
例えば、近距離通信部１２は、後述するメモリデバイス２００の近距離通信部５０が互いに通信することが可能な程度にまで接近した場合、メモリデバイス２００の近距離通信部５０と通信を確立するように構成されている。
【００３７】
詳しくは、デジタル複合機１００の近距離通信部１２がいわゆる接触・非接触ＩＣカードとしての役割をなし、メモリデバイス２００の近距離通信部５０がいわゆるリーダライタとしての役割をなすと共に、これらがいわゆる静電結合方式又は電磁結合方式を用いるように構成する。この場合、リーダライタ（近距離通信部５０）からは常時起動信号（電磁波）が送信されており、接触・非接触ＩＣカード（近距離通信部１２）及びリーダライタ（近距離通信部５０）が、互いに通信することが可能な程度（数ｍｍ〜数ｃｍ）にまで接近した場合に、接触・非接触ＩＣカード（近距離通信部１２）がリーダライタ（近距離通信部５０）から送出された電磁波を受信する。接触・非接触ＩＣカード（近距離通信部１２）は、前記電磁波を受信した場合、該電磁波の搬送波を整流して直流電源を生成し、それで内部回路を駆動させる。そして、接触・非接触ＩＣカード（近距離通信部１２）は、振幅変調を行い、前記起動信号に応じて応答信号をリーダライタ（近距離通信部５０）に送出する。これによって、近距離通信部１２及び近距離通信部５０の間の通信が確立される。
【００３８】
制御部２０は、上述したハードウェアを制御し、本発明の指示受付システムに係る指示受付の処理を行う。また、制御部２０は指示受付部２１、取得部２２、一致判定部２３及び無効化部２４を有している。
【００３９】
指示受付部２１はタッチパネル６からの信号に基づき、前記認証アイコンが接触操作された場合、該接触に係るメモリデバイス２００の認証を開始する旨の指示（以下、第１指示と言う。）を受け付ける。また、前記ファイルのアイコンが接触操作された場合、指示受付部２１は該接触に係るファイルのアイコンの対応データを所定のメモリデバイスに送信又は複写する旨の指示（以下、第２指示と言う。）を受け付ける。
【００４０】
取得部２２は、接触操作されたアイコンに係るメモリデバイスから、該メモリデバイスを特定するＭＡＣアドレス（識別データ）を取得する。詳しくは、前記認証アイコンが接触操作された場合、該アイコンと接触したメモリデバイスのＭＡＣアドレス（以下、第１アドレスと言う。）を、該メモリデバイスから近距離通信部１２を介して取得する。また、前記ファイルのアイコンが接触操作された場合、斯かるアイコンと接触したメモリデバイスのＭＡＣアドレス（以下、第２アドレスと言う。）を、該メモリデバイスから近距離通信部１２を介して取得する。
【００４１】
一致判定部２３は、取得部２２が取得した第１アドレス（第１識別データ）と、第２アドレス（第２識別データ）とが一致するか否かを判定する。
【００４２】
無効化部２４は、一致判定部２３の判定結果に基づき、指示受付部２１が受け付けた第２指示を無効にする。詳しくは、一致判定部２３によって前記第１アドレス及び第２アドレスが一致しないと判定された場合は、データ処理を指示した使用者が認証を行った使用者でない可能性が高いので、無効化部２４は、指示受付部２１が受け付けた第２指示を無効にする。
【００４３】
一方、メモリデバイス２００は、使用者が手に握ることが出来る大きさを有する、直方体形状であり、装置全体を制御するＣＰＵ（図示せず）を有する制御部３０と、記憶部４０と、近距離通信部５０（受信手段）と、振動部６０（報知手段）とを備えている。
【００４４】
制御部３０は、上述したハードウェアを制御し、本発明の指示受付システムに係るメモリデバイス２００として動作させる。
【００４５】
記憶部４０は、例えば、フラッシュメモリであり、近距離通信部５０を介してデジタル複合機１００から受信するデータを、所定のファイル名に関連付けて記憶する。また、記憶部４０には、自機のＭＡＣアドレスが記憶されている。
【００４６】
近距離通信部５０は、数ｃｍから数ｍまでのデータの送受信が可能な通信手段であり、デジタル複合機１００の近距離通信部１２に対応する。近距離通信部５０は、近距離通信部１２と同様、例えば、ブルートゥース（登録商標）対応デバイス、ＩＥＥＥ８０２．１１対応デバイス、非接触方式の通信方式（ＲＦＩＤ（Radio Frequency Identification)システム）対応デバイス又はトランスファージェット（登録商標）対応デバイスである。以下の説明においては、近距離通信部５０が非接触方式の通信方式に対応するものである場合を例として説明する。
【００４７】
例えば、近距離通信部５０は、デジタル複合機１００の近距離通信部１２が互いに通信することが可能な程度にまで接近した場合、デジタル複合機１００の近距離通信部１２と通信を確立し、自機のＭＡＣアドレス（識別データ）をデジタル複合機１００の近距離通信部１２に送信するように構成されている。
【００４８】
振動部６０は、振動を発するバイブレータを備えており、電源（図示せず）によって振動して各種イベントを使用者に報知する。また、振動部６０による振動のパターンは複数であり、制御部３０のＣＰＵによって制御される。
【００４９】
以下、本発明の実施の形態１に係る指示受付システムにおける、指示の受付について、デジタル複合機１００及びメモリデバイス２００の間での指示の受付を例として説明する。
【００５０】
（実施例１）
図３は本発明の実施の形態１の実施例１における、デジタル複合機１００及びメモリデバイス２００の間での指示の受付を説明するフローチャートである。
【００５１】
まず、使用者は原稿を画像入力部４の原稿台に載置し、操作パネル８を操作して該原稿の読み取りを指示する。ＣＰＵ１は操作パネル８を介して読み取りの指示を受け付け、画像入力部４に原稿画像の読取を指示する。画像入力部４は、ＣＰＵ１の指示に応じて該原稿の画像を読み取る（ステップＳ１０１）。画像入力部４によって読み取られた原稿の画像データは、所定のファイル名が付され、記憶部１１に記憶される。
【００５２】
次いで、表示制御部１０は、画像入力部４によって読み取られた原稿の画像データのファイルを表すアイコン（画像）と、前記認証アイコン（画像）とを表示部９に表示する（ステップＳ１０２）。図４は本発明の実施の形態１の実施例１における、ファイルのアイコンＦ及び認証アイコンＳの表示、並びにアイコン接触操作の一例を示す例示図である。
【００５３】
画像入力部４によって読み取られた原稿の画像データをメモリデバイス２００に送信したい使用者は、先ず、自分が所持するメモリデバイス２００の認証を行った後、メモリデバイス２００で表示部９に表示されたアイコンＦを接触する操作を行う。すなわち、使用者は、メモリデバイス２００を手に持ってメモリデバイス２００の所定部分を用いて認証アイコンＳをタッチして認証を行い、アイコンＦをタッチして前記原稿の画像データの送信を指示する。この際、デジタル複合機１００（近距離通信部１２）とメモリデバイス２００（近距離通信部５０）とは通信可能な範囲内に位置することとなる。
【００５４】
ＣＰＵ１は、タッチパネル６を監視することにより、換言すれば、タッチパネル６からの信号に基づき、表示部９に表示された認証アイコンＳのタッチがあったか否かを判定する（ステップＳ１０３）。
【００５５】
ＣＰＵ１は表示部９に表示された認証アイコンＳのタッチがないと判定した場合（ステップＳ１０３：ＮＯ）、認証アイコンＳの接触があるまで該判定を繰り返す。
【００５６】
また、ＣＰＵ１は表示部９に表示された認証アイコンＳのタッチがあったと判定した場合（ステップＳ１０３：ＹＥＳ）、指示受付部２１は認証アイコンＳに係る前記第１指示を受け付ける。
【００５７】
この際、取得部２２は認証アイコンＳと接触したメモリデバイス２００のＭＡＣアドレス、つまり第１アドレスを、メモリデバイス２００から、上述したように、近距離通信部１２を介して取得する（ステップＳ１０４）。取得された第１アドレスは、ＲＡＭ３に一時的に記憶される。
【００５８】
なお、この構成に限るものでない。例えば、使用者がメモリデバイスにてタッチ操作を行わず、又はメモリデバイスを手にしていないことから、通信が確立されず、前記第１アドレスの取得に失敗した場合、ＣＰＵ１が認証アイコンＳのタッチを無効にするように構成しても良い。
【００５９】
また、前記第１指示の受付の前に前記第２指示の受付があった場合は、換言すれば、前記第１指示の受付の前にファイルのアイコンＦがタッチされた場合、該第２指示の受付を無効にするように構成しても良い。
【００６０】
更に、記憶部１１に記憶されている記憶内容に基づき、取得された第１アドレスに対応する使用者が、自機の使用が許可された使用者であるか否かを認証するように構成しても良い。
【００６１】
次いで、ＣＰＵ１は、タッチパネル６を監視することにより、換言すれば、タッチパネル６からの信号に基づき、表示部９に表示されたファイルのアイコンＦのタッチがあったか否かを判定する（ステップＳ１０５）。
【００６２】
ＣＰＵ１は表示部９に表示されたアイコンＦのタッチがないと判定した場合（ステップＳ１０５：ＮＯ）、アイコンＦのタッチがあるまで該判定を繰り返す。
【００６３】
また、使用者がメモリデバイス２００を用いてアイコンＦをタッチすることにより、ＣＰＵ１が表示部９に表示されたファイルのアイコンＦのタッチがあったと判定した場合（ステップＳ１０５：ＹＥＳ）、指示受付部２１はアイコンＦに係る前記第２指示を受け付ける。
【００６４】
この際、取得部２２はアイコンＦと接触したメモリデバイスのＭＡＣアドレス、つまり第２アドレスを、当該メモリデバイスから取得する（ステップＳ１０６）。今回は、メモリデバイス２００がアイコンＦと接触したので、取得部２２はメモリデバイス２００のＭＡＣアドレスを第２アドレスとして近距離通信部１２を介して取得する。取得された第２アドレスは、ＲＡＭ３に一時的に記憶される。
【００６５】
なお、この構成に限るものでない。例えば、使用者がメモリデバイスにてタッチ操作を行わず、又はメモリデバイスを手にしていないことから、通信が確立されず、前記第２アドレスの取得に失敗した場合、ＣＰＵ１がアイコンＦのタッチを無効にするように構成しても良い。
【００６６】
次いで、一致判定部２３は、ＲＡＭ３に記憶されている第１アドレス及び第２アドレスの比較を行い、これらが一致するか否かを判定する（ステップＳ１０７）。
【００６７】
一致判定部２３が前記第１アドレス及び第２アドレスが一致しないと判定した場合（ステップＳ１０７：ＮＯ）、無効化部２４は指示受付部２１が受け付けた第２指示を無効にする（ステップＳ１０８）。
【００６８】
すなわち、前記第１アドレス及び第２アドレスが一致しない場合は、認証を行っていない他人による不正操作である可能性が高いので、このような場合は、受け付けた指示（第２指示）を無効にすることにより、斯かる不正操作を未然に防止する。
【００６９】
また、ＣＰＵ１は、ステップＳ１０６にて取得したメモリデバイスの第２アドレスを記憶部１１に記憶する（ステップＳ１０９）。これ以降、指示受付部２１が該第２アドレスに対応するメモリデバイスのタッチによる指示を受け付けた場合、無効化部２４が該指示を無効にする。
【００７０】
なお、この構成に限るものでない。例えば、前記不正操作に係るメモリデバイスの記憶部に、通信を確立しない旨のデータを書き込み、デジタル複合機１００の近距離通信部１２と、該メモリデバイスの近距離通信部との通信の確立において、通信の確立を拒否するように構成しても良い。更に、このような、通信の確立の拒否は所定時間経過後に解除されるように構成しても良い。
【００７１】
一方、一致判定部２３が前記第１アドレス及び第２アドレスが一致すると判定した場合（ステップＳ１０７：ＹＥＳ）、ＣＰＵ１は、アイコンＦに対応する原稿の画像データを近距離通信部１２に送り、前記第１アドレス又は第２アドレスに対応するメモリデバイス２００に送信するように指示する。近距離通信部１２はＣＰＵ１の指示に応じて前記画像データをメモリデバイス２００の近距離通信部５０に送信し、指示受付部２１が受け付けた第２指示を実行する（ステップＳ１１０）。
【００７２】
また、この構成に限るものでない。使用者によってタッチ操作でなく、例えば、フリック操作又はドラッグ操作が行われた場合には、指示受付部２１がアイコンＦに対応する原稿の画像データの複写データをメモリデバイス２００に移動させる指示として受け付け、近距離通信部１２がアイコンＦに対応する原稿の画像データの複写データをメモリデバイス２００の近距離通信部５０に送信するように構成しても良い。
【００７３】
（実施例２）
図５は本発明の実施の形態１の実施例２における、デジタル複合機１００及びメモリデバイス２００の間での指示の受付を説明するフローチャートである。説明の便宜上、以下において、第２指示はメモリデバイスにデータの送信する指示である。
【００７４】
まず、使用者は原稿を画像入力部４の原稿台に載置し、操作パネル８を操作して該原稿の読み取りを指示する。ＣＰＵ１は操作パネル８を介して読み取りの指示を受け付け、画像入力部４に原稿画像の読取を指示する。画像入力部４は、ＣＰＵ１の指示に応じて該原稿の画像を読み取る（ステップＳ２０１）。画像入力部４によって読み取られた原稿の画像データは、所定のファイル名が付され、記憶部１１に記憶される。
【００７５】
次いで、表示制御部１０は、画像入力部４によって読み取られた原稿の画像データのファイルを表すアイコン（画像）と、前記認証アイコン（画像）とを表示部９に表示する（ステップＳ２０２）（図４参照）。
【００７６】
画像入力部４によって読み取られた原稿の画像データをメモリデバイス２００に送信したい使用者は、メモリデバイス２００を手に持ってメモリデバイス２００の所定部分を用いて認証アイコンＳをタッチして認証を行い、アイコンＦをタッチして前記原稿の画像データの送信を指示する。この際、デジタル複合機１００（近距離通信部１２）とメモリデバイス２００（近距離通信部５０）とは通信可能な範囲内に位置することとなる。
【００７７】
ＣＰＵ１は、タッチパネル６を監視することにより、換言すれば、タッチパネル６からの信号に基づき、表示部９に表示された認証アイコンＳのタッチがあったか否かを判定する（ステップＳ２０３）。ＣＰＵ１は認証アイコンＳのタッチがないと判定した場合（ステップＳ２０３：ＮＯ）、認証アイコンＳの接触があるまで該判定を繰り返す。
【００７８】
また、ＣＰＵ１は認証アイコンＳのタッチがあったと判定した場合（ステップＳ２０３：ＹＥＳ）、指示受付部２１は前記第１指示を受け付ける。
【００７９】
この際、取得部２２は認証アイコンＳと接触したメモリデバイス２００のＭＡＣアドレス、つまり第１アドレスを、メモリデバイス２００から、近距離通信部１２を介して取得する（ステップＳ２０４）。取得された第１アドレスは、ＲＡＭ３に一時的に記憶される。
【００８０】
次いで、ＣＰＵ１は、タッチパネル６を監視することにより、換言すれば、タッチパネル６からの信号に基づき、表示部９に表示されたファイルのアイコンＦのタッチがあったか否かを判定する（ステップＳ２０５）。ＣＰＵ１はアイコンＦのタッチがないと判定した場合（ステップＳ２０５：ＮＯ）、アイコンＦのタッチがあるまで該判定を繰り返す。
【００８１】
また、使用者がメモリデバイス２００を用いてアイコンＦをタッチすることにより、ＣＰＵ１がファイルのアイコンＦのタッチがあったと判定した場合（ステップＳ２０５：ＹＥＳ）、指示受付部２１は前記第２指示を受け付ける。
【００８２】
この際、取得部２２はアイコンＦと接触したメモリデバイスのＭＡＣアドレス、つまり第２アドレスを、当該メモリデバイスから取得する（ステップＳ２０６）。今回は、メモリデバイス２００がアイコンＦと接触したので、取得部２２はメモリデバイス２００のＭＡＣアドレスを第２アドレスとして近距離通信部１２を介して取得する。取得された第２アドレスは、ＲＡＭ３に一時的に記憶される。
【００８３】
次いで、一致判定部２３は、ＲＡＭ３に記憶されている第１アドレス及び第２アドレスの比較を行い、これらが一致するか否かを判定する（ステップＳ２０７）。一致判定部２３が前記第１アドレス及び第２アドレスが一致しないと判定した場合（ステップＳ２０７：ＮＯ）、すなわち、メモリデバイス２００以外のメモリデバイスがアイコンＦをタッチした場合、無効化部２４は指示受付部２１が受け付けた第２指示を無効にする（ステップＳ２０８）。
【００８４】
また、ＣＰＵ１は、前記第１アドレスに対応するメモリデバイスと、前記第２アドレスに対応するメモリデバイスとが相違する旨のデータ（相違データ）を生成して近距離通信部１２に送り、メモリデバイス２００に送信するよう指示する。ＣＰＵ１の指示に応じて、近距離通信部１２は前記相違する旨のデータを、前記第１アドレスに対応するメモリデバイス２００に送信する（ステップＳ２０９）。
【００８５】
この際、メモリデバイス２００の近距離通信部５０が前記相違する旨のデータを受信する（ステップＳ３０１）。制御部３０は所定のパターンにて振動部６０を振動させて、前記第１アドレスに対応するメモリデバイスと、前記第２アドレスに対応するメモリデバイスとが相違する旨、換言すれば、他人による操作が行われている旨を使用者に報知する（ステップＳ３０２）。
【００８６】
以上の記載においては、振動部６０の振動を用いて使用者に報知する場合を例として説明したが、これに限るものでない。例えば、ＬＥＤを設け、発光パターン又は発光色を異にすることによって報知を行うように構成しても良い。
【００８７】
一方、一致判定部２３が前記第１アドレス及び第２アドレスが一致すると判定した場合（ステップＳ２０７：ＹＥＳ）、ＣＰＵ１は、アイコンＦに対応する原稿の画像データを近距離通信部１２に送り、前記第１アドレス又は第２アドレスに対応するメモリデバイス２００に送信するように指示する。近距離通信部１２はＣＰＵ１の指示に応じてアイコンＦ２に対応する原稿の画像データをメモリデバイス２００の近距離通信部５０に送信し、指示受付部２１が受け付けた第２指示を実行する（ステップＳ２１０）。
【００８８】
（実施の形態２）
図６は本発明の実施の形態２に係る指示受付システムの要部構成を示す機能ブロック図である。実施の形態２に係る指示受付システムは複合機１００（情報処理装置）と、メモリデバイス２００（指示装置）を含む一又は複数のメモリデバイスとを有する。
【００８９】
実施の形態２における、デジタル複合機１００及びメモリデバイス２００の構成は、実施の形態１と同様であるが、デジタル複合機１００の制御部２０の構成が異なる。
【００９０】
制御部２０は、実施の形態１と同様に指示受付部２１と、取得部２２と、一致判定部２３と、無効化部２４とを有しており、その他、有無判定部２５を更に有している。
【００９１】
有無判定部２５はメモリデバイスが所定の範囲内にあるか否かを判定する。該判定は、近距離通信部１２と、対応するメモリデバイスの近距離通信部との送受信可否に基づいて行われる。
【００９２】
例えば、実施の形態２における、デジタル複合機１００の近距離通信部１２と、対応するメモリデバイスの近距離通信部とがいわゆる非接触方式の通信方式（ＲＦＩＤ（Radio Frequency Identification)システム）を用いるものである場合、これらの送受信可否から、有無判定部２５は斯かる判断を行うことができる。
【００９３】
詳しくは、デジタル複合機１００の近距離通信部１２がいわゆる接触・非接触ＩＣカードとしての役割をなし、対応するメモリデバイスの当該近距離通信部がいわゆるリーダライタとしての役割をなすと共に、これらがいわゆる静電結合方式又は電磁結合方式を用いるように構成する。この場合、リーダライタ（対応する近距離通信部）からは常時起動信号（電磁波）が送信されており、接触・非接触ＩＣカード（近距離通信部１２）及びリーダライタ（対応する近距離通信部）が、互いに通信することが可能な程度（数ｍｍ〜数ｃｍ）にまで接近した場合に、接触・非接触ＩＣカード（近距離通信部１２）がリーダライタ（対応する近距離通信部）から送出された電磁波を受信する。接触・非接触ＩＣカード（近距離通信部１２）は、前記電磁波を受信した場合、該電磁波の搬送波を整流して直流電源を生成し、それで内部回路を駆動させる。そして、接触・非接触ＩＣカード（近距離通信部１２）は、振幅変調を行い、前記起動信号に応じて応答信号をリーダライタ（対応する近距離通信部）に送出する。
【００９４】
従って、有無判定部２５は、近距離通信部１２による前記電磁波の受信如何、又は内部回路の駆動如何等を監視することにより、当該近距離通信部、すなわち、対応するメモリデバイスが所定の範囲内（数ｍｍ〜数ｃｍ）にあるか否かを判定することができる。
【００９５】
有無判定部２５によって何れかのメモリデバイスが所定の範囲内にあると判定された場合、表示制御部１０は、認証の指示を受け付ける認証アイコンＳ、又は画像入力部４によって読み取られた画像データのファイル或いは記憶部１１に既に記憶されているデータのファイルを表すアイコンＦをそのファイル名と共に表示部９に表示する。使用者は、表示部９に表示されたアイコンＦ又は認証アイコンＳの中から、実施の形態１と同様に、自分が所持するメモリデバイスを用いて何れかのアイコンを接触する操作を行う。
【００９６】
上述した「所定の範囲」は、以上の記載に限るものでなく、前記ＲＦＩＤシステムに用いられる方式を、電磁誘導方式又はマイクロ波方式等に変えることにより、数ｃｍ〜数ｍまで変更することができる。
【００９７】
また、以下の説明においては、説明の便宜上、デジタル複合機１００の近距離通信部１２と、メモリデバイス２００近距離通信部５０とが静電結合方式又は電磁結合方式を用いるＲＦＩＤシステムにて送受信する場合を例として説明する。
【００９８】
（実施例１）
図７は本発明の実施の形態２の実施例１における、デジタル複合機１００及びメモリデバイス２００の間での指示の受付を説明するフローチャートである。説明の便宜上、以下の説明においては、デジタル複合機１００の記憶部１１に複数のデータのファイルが夫々のファイル名毎に記憶されており、記憶部１１に記憶されているデータのファイルを表すアイコンが表示部９に表示される場合を例として説明する。
【００９９】
まず、デジタル複合機１００の有無判定部２５は、上述した方法により、所定の範囲内に何れかのメモリデバイスが存在するか否かを判定する（ステップＳ４０１）。この際、表示部９には、いわゆる初期画面が表示されている。
【０１００】
有無判定部２５は所定の範囲内に何れのメモリデバイスも存在しないと判定した場合（ステップＳ４０１：ＮＯ）、該範囲内に所定のメモリデバイスが存在すると判定されるまで、該判定を繰り返して行う。
【０１０１】
一方、操作を試みるメモリデバイス２００の使用者がデジタル複合機１００の前に立つ場合、又はメモリデバイス２００を手にして操作パネル８又は表示部９に手を動かした場合、有無判定部２５が所定の範囲内に所定のメモリデバイス（メモリデバイス２００）が存在すると判定する（ステップＳ４０１：ＹＥＳ）。この際、表示制御部１０はアイコンＦ及び認証アイコンＳを生成して表示部９に表示する（ステップＳ４０２）。図８は本発明の実施の形態２の実施例１における、アイコンＦ及び認証アイコンＳの表示、並びにその操作の一例を示す例示図である。表示部９には、記憶部１１に記憶されているデータのファイルを表す複数のアイコン（Ｆ１、Ｆ２、Ｆ３）がそのファイル名と共に表示されている。
【０１０２】
なお、この際、近距離通信部１２が前記電磁波を受信して、内部回路が駆動され、斯かる起動信号に応じて応答信号が近距離通信部５０に送出されるので、近距離通信部１２及び近距離通信部５０の間では通信が確立される。
【０１０３】
表示部９に表示された複数のアイコンＦ１、Ｆ２、Ｆ３にて表されるデータの中、何れかをメモリデバイス２００に送信したい使用者は、先ず、自分が所持するメモリデバイス２００の認証を行った後、表示部９に表示されたアイコンＦ１、Ｆ２、Ｆ３の何れかのアイコンをメモリデバイス２００で接触する操作を行う。すなわち、使用者は、メモリデバイス２００を手に持ってメモリデバイス２００の所定部分を用いて認証アイコンＳをタッチして認証を行い、同じくアイコンＦ１、Ｆ２、Ｆ３の中何れかをタッチして斯かるアイコンに対応するデータの送信を指示する。この際、デジタル複合機１００（近距離通信部１２）とメモリデバイス２００（近距離通信部５０）とは通信可能な範囲内に位置することとなる。
【０１０４】
この際、ＣＰＵ１は、タッチパネル６を監視することにより、換言すれば、タッチパネル６からの信号に基づき、表示部９に表示された認証アイコンＳのタッチがあったか否かを判定する（ステップＳ４０３）。
【０１０５】
ＣＰＵ１は表示部９に表示された認証アイコンＳのタッチがないと判定した場合（ステップＳ４０３：ＮＯ）、認証アイコンＳの接触があるまで該判定を繰り返す。
【０１０６】
また、ＣＰＵ１が表示部９に表示された認証アイコンＳのタッチがあったと判定した場合（ステップＳ４０３：ＹＥＳ）、指示受付部２１は認証アイコンＳに係る前記第１指示を受け付ける。
【０１０７】
この際、取得部２２は認証アイコンＳと接触したメモリデバイス２００のＭＡＣアドレス、つまり第１アドレスを、メモリデバイス２００から、上述したように、近距離通信部１２を介して取得する（ステップＳ４０４）。取得された第１アドレスは、ＲＡＭ３に一時的に記憶される。
【０１０８】
なお、この構成に限るものでない。例えば、使用者がメモリデバイスにてタッチ操作を行わず、又はメモリデバイスを手にしていないことから、通信が確立されず、前記第１アドレスの取得に失敗した場合、ＣＰＵ１が認証アイコンＳのタッチを無効にするように構成しても良い。
【０１０９】
また、前記第１指示の受付の前に、前記第２指示の受付があった場合は、該第２指示の受付を無効にするように構成下も良い。
【０１１０】
次いで、ＣＰＵ１は、タッチパネル６を監視することにより、換言すれば、タッチパネル６からの信号に基づき、表示部９に表示されたアイコンＦ１、Ｆ２、Ｆ３の中、何れかのタッチがあったか否かを判定する（ステップＳ４０５）。
【０１１１】
ＣＰＵ１は表示部９に表示された何れのアイコンのタッチもないと判定した場合（ステップＳ４０５：ＮＯ）、何れかのアイコンのタッチがあるまで該判定を繰り返す。
【０１１２】
また、使用者がメモリデバイス２００を用いて何れかのアイコン（例えば、アイコンＦ２）をタッチすることにより、ＣＰＵ１が表示部９に表示されたアイコンＦ２のタッチがあったと判定した場合（ステップＳ４０５：ＹＥＳ）、指示受付部２１はアイコンＦ２に係る前記第２指示を受け付ける。
【０１１３】
この際、取得部２２はアイコンＦ２と接触したメモリデバイスのＭＡＣアドレス、つまり第２アドレスを、当該メモリデバイスから取得する（ステップＳ４０６）。今回は、メモリデバイス２００がアイコンＦ２と接触したので、取得部２２はメモリデバイス２００のＭＡＣアドレスを第２アドレスとして近距離通信部１２を介して取得する。取得された第２アドレスは、ＲＡＭ３に一時的に記憶される。
【０１１４】
なお、この構成に限るものでない。例えば、使用者がメモリデバイスにてタッチ操作を行わず、又はメモリデバイスを手にしていないことから、通信が確立されず、前記第２アドレスの取得に失敗した場合、ＣＰＵ１がアイコンＦ２のタッチを無効にするように構成しても良い。
【０１１５】
次いで、一致判定部２３は、ＲＡＭ３に記憶されている第１アドレス及び第２アドレスの比較を行い、これらが一致するか否かを判定する（ステップＳ４０７）。
【０１１６】
一致判定部２３が前記第１アドレス及び第２アドレスが一致しないと判定した場合（ステップＳ４０７：ＮＯ）、無効化部２４は指示受付部２１が受け付けた第２指示を無効にする（ステップＳ４０８）。
【０１１７】
すなわち、前記第１アドレス及び第２アドレスが一致しない場合は、認証を行っていない他人による不正操作である可能性が高いので、このような場合は、受け付けた指示（第２指示）を無効にすることにより、斯かる不正操作を未然に防止する。
【０１１８】
また、ＣＰＵ１は、ステップＳ４０６にて取得したメモリデバイスの第２アドレスを記憶部１１に記憶する（ステップＳ４０９）。これ以降、指示受付部２１が該第２アドレスに対応するメモリデバイスのタッチによる指示を受け付けた場合、無効化部２４が該指示を無効にする。
【０１１９】
なお、この構成に限るものでない。例えば、前記不正操作に係るメモリデバイスの記憶部に、通信を確立しない旨のデータを書き込み、デジタル複合機１００の近距離通信部１２と、該メモリデバイスの近距離通信部との通信の確立において、通信の確立を拒否するように構成しても良い。更に、このような、通信の確立の拒否は所定時間経過後に解除されるように構成しても良い。
【０１２０】
一方、一致判定部２３が前記第１アドレス及び第２アドレスが一致すると判定した場合（ステップＳ４０７：ＹＥＳ）、ＣＰＵ１は、アイコンＦ２に対応するデータを記憶部１１から近距離通信部１２に送り、前記第１アドレス又は第２アドレスに対応するメモリデバイス２００に送信するように指示する。近距離通信部１２はＣＰＵ１の指示に応じてアイコンＦ２に対応するデータをメモリデバイス２００の近距離通信部５０に送信し、指示受付部２１が受け付けた第２指示を実行する（ステップＳ４１０）。
【０１２１】
また、この構成に限るものでない。使用者によってタッチ操作でなく、例えば、フリック操作又はドラッグ操作が行われた場合には、指示受付部２１がアイコンＦ２に対応するデータの複写データをメモリデバイス２００に移動させる指示として受け付け、近距離通信部１２がアイコンＦ２に対応するデータの複写データをメモリデバイス２００の近距離通信部５０に送信するように構成しても良い。
【０１２２】
（実施例２）
図９は本発明の実施の形態２の実施例２における、デジタル複合機１００及びメモリデバイス２００の間での指示の受付を説明するフローチャートである。説明の便宜上、以下の説明においては、デジタル複合機１００の記憶部１１に複数のデータのファイルが夫々のファイル名毎に記憶されており、記憶部１１に記憶されているデータのファイルを表すファイルのアイコンが表示部９に表示される場合を例として説明する。
【０１２３】
まず、デジタル複合機１００の有無判定部２５は、上述した方法により、所定の範囲内に何れかのメモリデバイスが存在するか否かを判定する（ステップＳ５０１）。この際、表示部９には、いわゆる初期画面が表示されている。
【０１２４】
有無判定部２５は所定の範囲内に何れのメモリデバイスも存在しないと判定した場合（ステップＳ５０１：ＮＯ）、該範囲内に所定のメモリデバイスが存在すると判定されるまで、該判定を繰り返して行う。
【０１２５】
一方、操作を試みるメモリデバイス２００の使用者がデジタル複合機１００の前に立つ場合、又はメモリデバイス２００を手にして操作パネル８又は表示部９に手を動かした場合、有無判定部２５が所定の範囲内に所定のメモリデバイス（メモリデバイス２００）が存在すると判定する（ステップＳ５０１：ＹＥＳ）。この際、表示制御部１０は記憶部１１に記憶されているデータのファイルを表すファイルのアイコンＦ１、Ｆ２、Ｆ３及び認証アイコンＳを生成して表示部９に表示する（ステップＳ５０２）（図８参照）。
【０１２６】
なお、この際、近距離通信部１２が前記電磁波を受信して、内部回路が駆動され、斯かる起動信号に応じて応答信号が近距離通信部５０に送出されるので、近距離通信部１２及び近距離通信部５０の間では通信が確立される。
【０１２７】
表示部９に表示された複数のアイコンＦ１、Ｆ２、Ｆ３にて表されるデータの中、何れかをメモリデバイス２００に送信したい使用者は、先ず、メモリデバイス２００を手に持ってメモリデバイス２００の所定部分を用いて認証アイコンＳをタッチして認証を行い、同じくアイコンＦ１、Ｆ２、Ｆ３の中何れかをタッチして斯かるアイコンに対応するデータの送信を指示する。この際、デジタル複合機１００（近距離通信部１２）とメモリデバイス２００（近距離通信部５０）とは通信可能な範囲内に位置することとなる。
【０１２８】
この際、ＣＰＵ１は、タッチパネル６を監視することにより、換言すれば、タッチパネル６からの信号に基づき、表示部９に表示された認証アイコンＳのタッチがあったか否かを判定する（ステップＳ５０３）。ＣＰＵ１は認証アイコンＳのタッチがないと判定した場合（ステップＳ５０３：ＮＯ）、認証アイコンＳの接触があるまで該判定を繰り返す。
【０１２９】
また、ＣＰＵ１が認証アイコンＳのタッチがあったと判定した場合（ステップＳ５０３：ＹＥＳ）、指示受付部２１は認証アイコンＳに係る前記第１指示を受け付ける。
【０１３０】
この際、取得部２２は認証アイコンＳと接触したメモリデバイス２００のＭＡＣアドレス、つまり第１アドレスを、メモリデバイス２００から、上述したように、近距離通信部１２を介して取得する（ステップＳ５０４）。取得された第１アドレスは、ＲＡＭ３に一時的に記憶される。
【０１３１】
次いで、ＣＰＵ１は、タッチパネル６を監視することにより、換言すれば、タッチパネル６からの信号に基づき、表示部９に表示されたアイコンＦ１、Ｆ２、Ｆ３の中、何れかのタッチがあったか否かを判定する（ステップＳ５０５）。ＣＰＵ１は何れのアイコンのタッチもないと判定した場合（ステップＳ５０５：ＮＯ）、何れかのアイコンのタッチがあるまで該判定を繰り返す。
【０１３２】
また、使用者がメモリデバイス２００を用いて何れかのアイコン（例えば、アイコンＦ２）をタッチすることにより、ＣＰＵ１がアイコンＦ２のタッチがあったと判定した場合（ステップＳ５０５：ＹＥＳ）、指示受付部２１はアイコンＦ２に係る前記第２指示を受け付ける。
【０１３３】
この際、取得部２２はアイコンＦ２と接触したメモリデバイスのＭＡＣアドレス、つまり第２アドレスを、当該メモリデバイスから取得する（ステップＳ５０６）。今回は、メモリデバイス２００がアイコンＦ２と接触したので、取得部２２はメモリデバイス２００のＭＡＣアドレスを第２アドレスとして近距離通信部１２を介して取得する。取得された第２アドレスは、ＲＡＭ３に一時的に記憶される。
【０１３４】
次いで、一致判定部２３は、ＲＡＭ３に記憶されている第１アドレス及び第２アドレスの比較を行い、これらが一致するか否かを判定する（ステップＳ５０７）。
【０１３５】
一致判定部２３が前記第１アドレス及び第２アドレスが一致しないと判定した場合（ステップＳ５０７：ＮＯ）、無効化部２４は指示受付部２１が受け付けた第２指示を無効にする（ステップＳ５０８）。
【０１３６】
また、ＣＰＵ１は、前記第１アドレスに対応するメモリデバイスと、前記第２アドレスに対応するメモリデバイスとが相違する旨のデータ（相違データ）を生成して近距離通信部１２に送り、メモリデバイス２００に送信するよう指示する。ＣＰＵ１の指示に応じて、近距離通信部１２は前記相違する旨のデータを、前記第１アドレスに対応するメモリデバイス２００に送信する（ステップＳ５０９）。
【０１３７】
この際、メモリデバイス２００の近距離通信部５０が前記相違する旨のデータを受信する（ステップＳ６０１）。また、制御部３０は所定のパターンにて振動部６０を振動させて、前記第１アドレスに対応するメモリデバイスと、前記第２アドレスに対応するメモリデバイスとが相違する旨、換言すれば、他人による操作が行われている旨を使用者に報知する（ステップＳ６０２）。
【０１３８】
以上の記載においては、振動部６０の振動を用いて使用者に報知する場合を例として説明したが、これに限るものでない。例えば、ＬＥＤを設け、発光パターン又は発光色を異にすることによって報知を行うように構成しても良い。
【０１３９】
一方、一致判定部２３が前記第１アドレス及び第２アドレスが一致すると判定した場合（ステップＳ５０７：ＹＥＳ）、ＣＰＵ１は、アイコンＦ２に対応するデータを記憶部１１から近距離通信部１２に送り、前記第１アドレス又は第２アドレスに対応するメモリデバイス２００に送信するように指示する。近距離通信部１２はＣＰＵ１の指示に応じてアイコンＦ２に対応するデータをメモリデバイス２００の近距離通信部５０に送信し、指示受付部２１が受け付けた第２指示を実行する（ステップＳ５１０）。
【０１４０】
実施の形態１と同様の部分については、同一の符号を付して詳細な説明を省略する。
【０１４１】
（実施の形態３）
図１０は本発明の実施の形態３に係るデジタル複合機１００の要部構成を示す機能ブロック図である。実施の形態３に係るデジタル複合機１００は、動作を行うためのコンピュータプログラムが、Ｉ／Ｆ部１３を介してＣＤ−ＲＯＭ等の可搬型記録媒体Ａで提供することも可能であるように構成されている。さらに、実施の形態３に係るデジタル複合機１００は、前記コンピュータプログラムを、外部装置から近距離通信部１２を介してダウンロードすることも可能であるように構成されている。以下に、その内容を説明する。
【０１４２】
実施の形態３のデジタル複合機１００は外装（又は内装）の記録媒体読み取り装置（図示せず）を備えており、該記録媒体読み取り装置に、メモリデバイス（外部装置）と表示部９の表示面との接触位置に基づき、認証に係る第１指示及びデータ処理に係る第２指示を受付させ、前記第１指示に係るメモリデバイス（外部装置）が記憶する第１アドレス（第１識別データ）、及び前記第２指示に係るメモリデバイス（外部装置）が記憶する第２アドレス（第２識別データ）を取得させ、前記第１アドレス（第１識別データ）及び第２アドレス（第２識別データ）が不一致である場合、受け付けた第２指示を無効にさせるプログラム等が記録された可搬型記録媒体Ａを挿入して、例えば、ＣＰＵ１がＲＯＭ２にこのプログラムをインストールする。かかるプログラムはＲＡＭ３にロードして実行される。これにより、実施の形態１及び実施の形態２における、デジタル複合機１００として機能する。
【０１４３】
前記記録媒体としては、いわゆるプログラムメディアであっても良く、磁気テープ及びカセットテープ等のテープ系、フレキシブルディスク及びハードディスク等の磁気ディスク並びにＣＤ−ＲＯＭ／ＭＯ／ＭＤ／ＤＶＤ等の光ディスクのディスク系、ＩＣカード（メモリカードを含む）／光カード等のカード系、あるいはマスクＲＯＭ、ＥＰＲＯＭ、ＥＥＰＲＯＭ、フラッシュＲＯＭ等による半導体メモリを含めた固定的にプログラムコードを担持する媒体であっても良い。
【０１４４】
近距離通信部１２を介してネットワークからプログラムコードをダウンロードするように流動的にプログラムコードを担持する媒体であっても良い。なお、このように通信ネットワークからプログラムをダウンロードする場合には、そのダウンロード用のプログラムは予め本体装置に格納しておくか、あるいは別な記録媒体からインストールされるものであっても良い。なお、本発明は、前記プログラムコードが電子的な伝送で具現化された、搬送波に埋め込まれたコンピュータデータ信号の形態でも実現され得る。
【０１４５】
実施の形態１と同様の部分については、同一の符号を付して詳細な説明を省略する。
【符号の説明】
【０１４６】
１  ＣＰＵ  
６  タッチパネル
９  表示部
１１  記憶部
１２  近距離通信部
２０  制御部
２１  指示受付部
２２  取得部
２４  無効化部
３０  制御部
４０  記憶部
５０  近距離通信部
６０  振動部
Ｆ  アイコン
Ｓ  認証アイコン
２５  有無判定部
１００  デジタル複合機
２００  メモリデバイス
【図１】
0005665933.tif 000002
【図２】
0005665933.tif 000003
【図３】
0005665933.tif 000004
【図４】
0005665933.tif 000005
【図５】
0005665933.tif 000006
【図６】
0005665933.tif 000007
【図７】
0005665933.tif 000008
【図８】
0005665933.tif 000009
【図９】
0005665933.tif 000010
【図１０】
0005665933.tif 000011